(57)【要約】  本発明は、装置を選択するワイヤレスリモコン制御された装置選択システムに関する。信号処理は、リモコン装置のための情報を提供する。この情報は、リモコン装置と、この中から装置が選択されなければならない様々な装置との間の角度を示している。前記角度の微分を分析することによって、所望の装置が選択されることができる。
2012523733.tif 000002
【特許請求の範囲】
【請求項１】
ワイヤレスリモコン制御される装置選択システムであって、
第１の信号を送信する第１の信号送信器を有する第１の目標装置と、
第２の信号を送信する第２の信号送信器を有する第２の目標装置と、
前記第１の目標装置及び前記第２の目標装置のうちの少なくとも一方を選択するリモコン装置であって、
前記第１の信号送信器から前記指向性信号受信器に送信される前記第１の信号の第１の試験出力、及び
前記第２の信号送信器から前記指向性信号受信器に送信される前記第２の信号の試験出力
を決定する指向性信号受信器と、
前記第１の信号送信器から前記全方向性信号受信器に送信される前記第１の信号の第１の基準出力、及び
前記第２の信号送信器から前記全方向性信号受信器に送信される前記第２の信号の第２の基準出力
を決定する全方向性信号受信器と、
前記第１の試験出力と前記第１の基準出力との間の第１の瞬間的な比に基づいて第１の強度係数を決定する、及び
前記第２の試験出力と前記第２の基準出力との間の第２の瞬間的な比に基づいて第２の強度係数を決定する
プロセッサと、
前記第１の強度係数が第１の選択条件を満たす場合に前記第１の目標装置を選択する、及び
前記第２の強度係数が第２の選択条件を満たす場合に前記第２の目標装置を選択する、
選択器と、
を有するリモコン装置と、
を有するワイヤレスリモコン制御される装置選択システム。
【請求項２】
前記プロセッサが、
期間にわたって前記第１の瞬間的な比を積分することによる前記第１の強度係数の決定、及び
前記期間にわたって前記第２の瞬間的な比を積分することによる前記第２の強度係数の決定、
の少なくとも一方を行なう、請求項１に記載のシステム。
【請求項３】
前記第１の選択条件は、前記第２の強度係数よりも大きい前記第１の強度係数を有し、
前記第２の選択条件は、前記第１の強度係数より大きい前記第２の強度係数を有する、
請求項１又は２に記載のシステム。
【請求項４】
前記第１の選択条件は、第１のしきい値よりも大きい前記第１の強度係数を有し、
前記第２の選択条件は、第２のしきい値よりも大きい前記第２の強度係数を有する、
請求項１又は２に記載のシステム。
【請求項５】
前記第１の選択条件は、前記第２の目標装置が選択されていないことを更に有し、及び／又は
前記第２の選択条件は、前記第１の目標装置が選択されていないことを有する、
請求項１、３又は４に記載のシステム。
【請求項６】
ワイヤレスリモコン制御された装置選択システムであって、
第１の信号受信器を有する第１の目標装置と、
第２の信号受信器を有する第２の目標装置と
前記第１の信号受信器及び前記第２の信号受信器に指向性信号を送信する指向性信号送信器、及び
前記第１の信号受信器及び前記第２の信号受信器に全方向性信号を送信する全方向性信号送信器、
を有するリモコン装置であって、
前記第１の信号受信器は、
前記指向性信号送信器から前記第１の信号受信器に送信される前記指向性信号の第１の試験出力、及び
前記全方向性信号送信器から前記第１の信号受信器に送信される前記全方向性信号の第１の基準出力
を決定し、
前記第２の信号受信器は、
前記指向性信号送信器から前記第２の信号受信器に送信される前記指向性信号の第２の試験出力、及び
前記全方向性信号送信器から前記第２の信号受信器に送信される前記全方向性信号の第２の基準出力
を決定する、
リモコン装置と、
前記第１の試験出力と前記第１の基準出力との間の第１の瞬間的な比に基づいて第１の強度係数を決定する、及び
前記第２の試験出力と前記第２の基準出力との間の第２の瞬間的な比に基づいて第２の強度係数を決定する、並びに
前記第１の強度係数が第１の選択条件を満たす場合に前記第１の目標装置を選択し、前記第２の強度係数が第２の選択条件を満たす場合に前記第２の目標装置を選択する、
処理手段と、
を有するワイヤレスリモコン制御された装置選択システム。
【請求項７】
前記第１の選択条件は、第１のしきい値よりも大きい前記第１の強度係数を有する、及び
前記第２の選択条件は、第２のしきい値よりも大きい前記第２の強度係数を有する、
請求項６に記載のシステム。
【請求項８】
前記処理手段は、前記第１の目標装置内の第１のプロセッサと、前記第２の目標装置の中の第２のプロセッサとを有しており、前記第１のプロセッサが、前記第１の強度係数を決定し、前記第２のプロセッサが、前記第２の強度係数を決定し、
前記選択手段は、前記第１の目標装置内の第１の選択器と前記第２の目標装置内の第２の選択器とを有し、
前記第１の選択器は、前記第１の強度係数が前記第１の選択条件を満たす場合に前記第１の目標装置を選択し、
前記第２の選択器は、前記第２の強度係数が前記第２の選択条件を満たす場合に前記第２の目標装置を選択する、
請求項６又は７に記載のシステム。
【請求項９】
前記第１のプロセッサは、更に、期間にわたって前記第１の瞬間的な比を積分することによって前記第１の強度係数を決定する、及び／又は前記第２のプロセッサは、更に、前記期間にわたって前記第２の瞬間的な比を積分することで前記第２の強度係数を決定する、請求項８に記載のシステム
【請求項１０】
前記第１の選択条件は、前記第１の強度係数が前記第２の強度係数よりも大きいことを有し、前記第２の選択条件は、前記第２の強度係数が前記第１の強度係数よりも大きいことを有する、請求項６に記載のシステム。
【請求項１１】
前記第１の目標装置は、前記第１の試験出力、前記第１の基準出力又は前記第１の試験出力と前記第１の基準出力との組み合わせを、前記リモコン装置に送信する第１の信号送信器を更に有し、
前記第２の目標装置は、前記第２の試験出力、前記第２の基準出力又は前記第２の試験出力と前記第２の基準出力との組み合わせを、前記リモコン装置に送信する第２の信号送信器を更に有し、
前記処理手段は、前記リモコン装置内のプロセッサを有し、
前記選択手段は、前記リモコン装置内の選択器を有する、
請求項６、７又は１０に記載のシステム。
【請求項１２】
前記第１の選択条件は、前記第２の目標装置が選択されていないことを更に含み、前記第２の選択条件は、前記第１の目標装置が選択されていないことを更に有する、請求項６、７又は１０に記載のシステム。
【請求項１３】
第１の信号送信器を有する第１の目標装置と第２の信号送信器を有する第２の目標装置のとの少なくとも一方を選択するための方法であって、
前記第１の信号送信器から指向性信号受信器に送信される第１の信号の第１の試験出力を決定するステップと、
前記第２の信号送信器から前記指向性信号受信器に送信される第２の信号の第２の試験出力を決定するステップと、
前記第１の信号送信器から前記全方向性信号受信器に送信される前記第１の信号の第１の基準出力を決定するステップと、
前記第２の信号送信器から前記全方向性信号受信器に送信される前記第２の信号の第２の基準出力を決定するステップと、
前記第１の試験出力と前記第１の基準出力との間の瞬間的な比に基づいて第１の強度係数を決定するステップと、
前記第２の試験出力と前記第２の基準出力との間の瞬間的な比に基づいて第２の強度係数を決定するステップと、
前記第１の強度係数が第１の選択条件を満たす場合に前記第１の目標装置を選択する、及び前記第２の強度係数が第２の選択条件を満たす場合に前記第２の目標装置を選択するステップと、
を有する方法。
【請求項１４】
第１の信号受信器を有している第１の目標装置と、第２の信号受信器を有し第２の目標装置との少なくとも一方を選択するための方法であって、
指向性信号送信器から前記第１の信号受信器に送信される指向性信号の第１の試験出力を決定するステップと、
全方向性信号送信器から前記第１の信号受信器に送信される全方向性信号の第１の基準出力を決定するステップと、
前記指向性信号送信器から前記第２の信号受信器に送信される前記指向性信号の第２の試験出力を決定するステップと、
前記全方向性信号送信器から前記第２の信号受信器に送信される前記全方向性信号の第２の基準出力を決定するステップと、
前記第１の試験出力と前記第１の基準出力との間の瞬間的な比に基づいて第１の強度係数を決定するステップと、
前記第２の試験出力と前記第２の基準出力との間の瞬間的な比に基づいて第２の強度係数を決定するステップと、
前記第１の強度係数が第１の選択条件を満たす場合に前記第１の目標装置を選択し、前記第２の強度係数が第２の選択条件を満たす場合に前記第２の目標装置を選択する選択手段と、
を有する方法。
【請求項１５】
期間にわたって前記第１の瞬間的な比を積分することによって前記第１の強度係数を決定するステップと、
前記期間にわたって前記第２の瞬間的な比を積分することによって前記第２の強度係数を決定するステップと、
の少なくとも一方を更に有する、請求項１３又は１４に記載の方法。
【発明の詳細な説明】
【技術分野】
【０００１】
本発明は、ワイヤレスリモコン装置によって複数の装置（例えば、ランプ）から１つ以上の装置を選択する分野に関する。
【背景技術】
【０００２】
複数のランプを含む現在の照明システムにおいて、ランプの選択及び制御は、通常、スイッチを有する壁パネルのような、固定されている装置によって行なわれている。前記スイッチは、光のオン・オフ又は光の調光のように、ランプを制御するのに使用されている。
ユーザが、光の何らかの変更を望む場合、前記ユーザは、前記壁パネルに戻らなければならない。勿論、前記ユーザは、どのスイッチがどのランプを制御するかを知ることを必要とする。しばしば、しかしながら、前記ユーザは、スイッチ及びランプに印が付されていないので、このような情報を有さない。このような状況は、複数のランプ及び複数のスイッチの場合、特に問題がある。この場合、前記所望のランプを制御するスイッチは、試行錯誤によって発見されなければならない。
【０００３】
最近の開発によって、ランプを指示することによりランプを選択し次いでランプを調整するのに便利なリモコン装置がもたらされている。しかしながら、リモコン装置の使用は、所望の装置以外の装置（例えば、ランプ）を偶然に選択することのリスクを与えている。この状況は、特に、複数の装置がこれらの装置と前記リモコン装置との間の距離に関して一緒に密に位置決めされている場面において、直面されるものである。従って、装置の選択の容易さ（前記リモコンからの広い選択視野を好む）と、複数の装置を選択することの前記リスクを回避すること（前記リモコンからの小さい選択視野を好む）との間でのトレードオフが、なされなければならない。
【発明の概要】
【発明が解決しようとする課題】
【０００４】
米国特許第２００３／０１０７８８８号は、個々の照明モジュールの選択的な調整及びプログラミングのために指向性のワイヤレスリモコンを利用しているリモコンモジュラ照明システムを開示している。個々の照明モジュールは、調整されるべき前記照明モジュールに前記リモコンを瞬間的に向けることによって、調整のために選択されることができる。その後の調整は、前記ランプを狙うことなしになされることができ、前記オペレータの注意が照明されている対象に合わせられるのを可能にする。この調整は、前記ランプの光のスイッチングオン／オフ、調光及び照準を含むことができる。照明モジュールが、複数のモジュールが選択されるように密接に間隔を置かれている場合、前記リモコンは、前記所望のランプモジュール上の指標が点灯するまで、繰り返し、ユーザが選択ボタンを押下することによって選択されるランプを循環することを可能にする付加的なフィーチャを有している。
【０００５】
複数の装置から少なくとも１つ装置（例えば、ランプ）を選択するための改良されたシステム及び方法を提供するための従来技術における必要性が、存在する。
【課題を解決するための手段】
【０００６】
ワイヤレスリモコン制御された装置選択システムが、提案される。このシステムは、第１の信号を送信する第１の信号送信器を有している第１の目標装置と、第２の信号を送信する第２の信号送信器を有している第２の目標装置とを含んでいる。前記システムは、前記第１の目標装置及び前記第２の目標装置のうちの少なくとも一方を選択するリモコン装置も含んでいる。前記リモコン装置は、指向性信号受信器、全方向性信号受信器、プロセッサ及び選択器を含んでいる。前記指向性信号受信器は、前記第１の信号送信器から前記指向性信号受信器に送信される前記第１の信号の第１の試験出力と前記第２の信号送信器から前記指向性信号受信器に送信される前記第２の信号の第２の試験出力とを決定する。前記全方向性信号受信器は、前記第１の信号送信器から前記全方向性信号受信器に送信される前記第１の信号の第１の基準出力と前記第２の信号送信器から前記全方向性信号受信器に送信される前記第２の信号の第２の基準出力とを決定する。前記プロセッサは、前記第１の試験出力と前記第１の基準出力との間の第１の瞬間的な比又は前記割合の関数／微分（derivation）（例えば、信号強度）に基づいて第１の強度係数（intension factor）を決定する及び前記第２の試験出力と前記第２の基準出力との間の第２の瞬間的な比又は前記割合の関数／微分（例えば、信号強度）に基づいて第２の強度係数を決定する。前記選択器は、前記第１の強度係数が第１の選択条件を満している場合に前記第１の目標装置を選択し、前記第２の強度係数が第２の選択条件を満たしている場合に第２の目標装置を選択する。
【０００７】
様々な実施例において、前記指向性及び前記全方向性信号受信器の各々は、複数の受信器モジュール（例えば、フォト検出器）の配置を有することができ、前記受信器モジュールの各々は、様々な目標装置から前記信号の信号強度を処理するための信号強度処理モジュールに接続されている。前記リモコン装置は、前記運動センサによる前記リモコン装置の動きの検出に応答して前記第１の信号及び前記第２の信号の送信を開始するように運動センサ及びスタートモジュールを有することができる。従って、エネルギは、前記リモコン装置を扱う際にのみ前記第１の信号及び第２の信号の送信を開始することによって保存されることができる。
【０００８】
更に、第１の信号受信器を有する第１の目標装置と２の信号受信器を有する第２の目標装置とを含む代替的なワイヤレスリモコン装置選択システムが、提供される。前記システムは、更に、全方向性信号送信器、及び指向性信号送信器と含むリモコン装置も含んでいる。前記指向性信号送信器は、前記第１及び第２信号受信器に指向性信号を送信する。前記全方向性信号送信器は、前記第１及び第２の信号受信器に全方向性信号を送信する。動作中、前記第１の信号受信器は、指向性信号送信器から第１の信号受信器に送信される指向性信号の第１の試験出力と、前記全方向性信号送信器から前記第１の信号受信器に送信される前記全方向性信号の第１の基準出力とを決定する。前記第２の受信器は、前記指向性信号送信器から前記第２の信号受信器まで送られる前記指向性信号の第２の試験出力と、前記全方向性信号送信器から前記第２の信号受信器に送信される前記全方向性信号の第２の基準出力とを決定する。前記システムは、前記第１の試験出力と前記第１の基準出力との間の第１の瞬間的な比又はこれらの微分（例えば、信号強度）としての第１の強度係数を決定する、及び前記第２の試験出力と前記第２の基準出力との間の第２の瞬間的な比又はこれらの微分（例えば、信号強度）としての第２の強度係数を決定する処理手段を更に含んでいる。前記システムは、前記第１の強度係数が第１の選択条件を満たす場合に前記第１の目標装置を選択し、前記第２の強度係数が第２の選択条件を満たす場合に前記第２の目標装置を選択する選択手段も含んでいる。
【０００９】
様々な実施例において、前記指向性及び全方向性信号送信器の各々は、複数の送信器モジュール（例えば、フォト送信器）の配置を有することができる。前記送信器モジュールは、符号化された指向性信号及び符号化された全方向性信号を送信する。各目標装置の前記信号受信器は、前記指向性及び前記全方向性信号の信号強度を処理する信号強度処理モジュールに接続されている。
【００１０】
本発明の要旨は、（指向性信号パターンによって特徴づけられる）試験放射の出力と（全方向性信号パターンによって特徴づけられる）前記基準放射の前記出力のとの間の前記瞬間的な比を算出することによって、前記リモコン装置の指示方向と前記リモコン装置及び前記目標装置を接続している想像線との間の角度を示す値を得ることができるという見解にある。前記値は、本明細書において「強度係数」と称される。前記強度係数は、より小さい角度に対して、より大きい。前記強度係数が選択条件を満たすかどうかを試験することによって、決定は、所与の目標装置の選択と考えられることができる。
【００１１】
本明細書において使用されているように、「試験放射」なる語は、前記リモコン装置と指向性チャネル上の目標装置との間で通信される信号を称している一方で、「基準放射」なる語は、前記リモコン装置と全方向性チャネルの上の前記目標装置との間で通信される信号を称している。
【００１２】
試験出力及び基準出力の前記瞬間的な比に基づく選択は、これらの割合の関数に基づいて対応する選択を含むことができる。
【００１３】
前記第１及び第２の信号が、前記目標装置から添付の請求項１に規定されているような前記リモコン装置に向かって発されるシステムは、指向性受信器システムとも称され、前記第１及び第２の角度を示す情報が、適切な装置を選択するために容易に前記リモコン装置において容易に利用可能であるという点において有利である。更に、１つ以上の光学受信器（例えば、フォト検出器）を使用している第１及び第２の目標装置は、一般に、光学送信器を必要としている第１及び第２の目標装置よりも更に高価である。
【００１４】
この前記第１及び第２の信号が、前記リモコン装置から添付の請求項６に規定されているような前記目標装置に向かって発されるシステムは、指向性送信器システムとも称され、このようなシステムが、前記指向性信号は、既に大部分が、前記ユーザが選択することを望んでいる前記目標装置に向けられているという事実の結果として良好なＳ／Ｎ比を提供する点において有利である。更に、このようなシステムは、前記第１の目標装置と第２の目標装置との間の同期を必要としない。
【００１５】
前記指向性送信器システムで、前記リモコン装置か又は前記目標装置かの何れかが前記選択を決定することができる点に留意すべきである。例えば、添付の請求項８によれば、処理及び選択は、前記目標装置において実施されることができ、前記目標装置は、この装置に関する前記強度係数が選択条件を満たす場合、自身を選択することができる。従って、あらゆる目標装置は、独立した選択の判断をとることを可能にされることができる。代替的には、更に、前記強度係数に関する情報を受け取るデータ受信器を含んでいる他の装置（例えば、他のランプ）は、選択された目標装置を決定することができる。即ち、前記選択の判断は、前記リモコン装置の外部からなされることができ、前記結果は前記リモコン装置に報告されることができる。添付の請求項１１によれば、処理及び選択は、更に前記リモコン装置において実施されることができる。
【００１６】
前記選択システムは、少なくとも２つの目標装置の一群を選択するために使用されることもできると更に認められなければならない。これらの目標装置は、例えば、２つの最大強度係数の決定に基づいて選択されることができる。
【００１７】
添付の請求項２、９及び１５に規定されている実施例は、期間にわたって前記瞬間的な比の積分としてますます大きい強度係数の決定を可能にしている。
【００１８】
添付の請求項３及び１０に規定されている実施例は、異なる目標装置の強度係数を比較する及び前記目標装置と前記リモコン装置との間の（即ち、前記リモコン装置が指している方向と前記リモコン装置及び前記目標装置を接続している想像線との間の）最小角度に対応する前記装置を選択することによって、目標装置の選択を可能にしている。
【００１９】
添付の請求項４及び７に規定されている実施例は、前記強度係数をしきい値と比較することによって他の目標装置とは独立に一部の目標装置の選択することを可能にしている。
【００２０】
添付の請求項５及び１２の実施例は、ひとたび前記目標装置のうちの１つが選択されると、他の目標装置の選択を不能にすることを可能にしている。
【００２１】
添付の請求項１３及び１４は、それぞれ、指向性受信器及び指向性送信器システムの動作させる方法を規定している。
【００２２】
一実施例において、前記第１の信号、第２の信号、指向性信号及び前記全方向性信号は、光学信号（例えば、可視又は赤外線）を有することができる。しかしながら、他の実施例では、無線周波信号（例えば、６０ＧＨｚ）又は超音波信号（＞２０ｋＨｚ）も使用されることができる。無線周波信号は、一定の材料を貫通する有利な点を有しており、これにより前記第１及び第２の信号の検出を改善する。超音波は、前記リモコン装置と前記目標装置と間の角度の指標として信号強度（例えば、位相）以外の尺度の使用を可能にすることができる。
【００２３】
様々な実施例において、前記目標装置は、１つ以上の発光要素を含んでいるランプ装置を有することができる。前記発光要素自体は、前記第１及び第２の信号の送信器として使用されることができ、これにより別個の送信器のための必要性を取り除く。前記目標装置からの前記第１及び第２の信号は、国際出願公開第２００６／１１１９３０号及び国際出願公開第２００９／０１０９０９号に記載されている態様の固有の符号を有することができる。
【００２４】
前記目標装置の選択は、所定の遅延時間の後に実行されることができ、従って、ユーザが、これらを選択する意図を伴うことなく第１及び第２の目標装置にわたって前記リモコン装置をスイープする場合のスプリアス選択を防止する。
【００２５】
前記リモコン装置は、処理のための精巧な中央制御装置及び比較的簡単な携帯用装置を有することができ、前記中央制御装置は、前記携帯用デバイスと前記第１及び第２の目標装置との間の仲介装置として機能する。
【００２６】
以下において、本発明の実施例が、より詳細に記載される。しかしながら、これらの実施例は、本発明の保護の範囲を制限するものとして解釈されてはならないと認識されなければならない。
【図面の簡単な説明】
【００２７】
【図１】本発明の一実施例による構造に取り付けられるワイヤレスリモコン制御される装置選択システムの概略図を示している。
【図２】本発明の一実施例による指向性受信器のワイヤレスリモコン制御される装置選択システムの概略図を示している。
【図３】本発明の一実施例による指向性送信器のワイヤレスリモコン制御される装置選択システムの概略図を示している。
【図４Ａ】本発明の実施例による図２及び３の装置選択システムの動作の概略図を示している。
【図４Ｂ】本発明の実施例による図２及び３の装置選択システムの動作の概略図を示している。
【図５】様々な角度距離ｕに関する強度係数Ｑを記載する関数を示している。
【図６】本発明の一実施例による目標装置の選択におけるしきい値と組み合わせにおける強度係数の使用を示している。
【図７】本発明の一実施例によるワイヤレスリモコン制御される装置システムにおけるリモコン装置に有利に使用されることができるリモコン装置の更なる構成要素の概略図である。
【図８Ａ】本発明の一実施例による第１の目標装置の概略図である。
【図８Ｂ】本発明の一実施例による第１の目標装置の概略図である。
【図９】ワイヤレスリモコン制御される装置選択システムの代替的な用途を示している。
【発明を実施するための形態】
【００２８】
図１は、ワイヤレスリモコン制御された装置選択システム１の、即ち構造Ｓの目標装置３Ａ、３Ｂがリモコン装置２によってワイヤレスで選択されるシステムの概略図である。以下において、２つの目標装置３Ａ、３Ｂは、ランプであるとみなされるが、電子的な機器、天幕、スイッチ又はドアのような、代替的な装置を表していても良い。勿論、他の実施例において、システム１は、２つの以上の目標装置を含むことができる。    
【００２９】
リモコン装置２は、単一の携帯用デバイス又は携帯用デバイス及び中央制御装置４の組み合わせであっても良い。
【００３０】
人Ｐは、リモコン装置２を用いることにより、ランプ３Ａ、３Ｂの動作を制御することができる。当該制御は、例えば、ランプ３Ａ、３Ｂのオン／オフへの切替え、ランプ３Ａ、３Ｂによって発される光Ｌの光輝度又は色の制御、及び／又は前記光Ｌがランプ３Ａ、３Ｂから発される方向の制御に関する。
【００３１】
図２及び３は、それぞれ、リモコン装置２を使用してランプ３Ａ（又は３Ｂ）を選択する及び制御するための指向性受信器システム５及び指向性送信器システム６の概略図を提供している。システム５及び６の何れも、図１に示されているシステム１として実施化されることができる。
【００３２】
両システムにおいて、ランプ３Ａは、ＡＣ／ＤＣ変換器１３から受け取られる信号に応答してドライバ１２を介してコントローラ１１から制御される発光要素１０を有する。このような配置が典型的ではあるが、当業者は、この配置が必ずしも必要ではないと認識するであろう。他の実施例において、ちょうど簡単なスイッチ（例えば、白熱ランプのための）以外のドライバ１２は、常にあるとは限らない。
【００３３】
両システムにおいて、リモコン装置２は、ボタン１５を操作する人Ｐから命令を受け取るコントローラ１４を有する。このリモコン装置２は、電池１６を含んでいる。
【００３４】
両システムにおいて、リモコン装置２及びランプ３Ａの両方は、全方向性無線周波数リンクＲＦを介してリモコン装置２とランプ３Ａとの間の通信を可能にしている通信モジュール１７、１８を更に有することができる。ＲＦリンクは、リモコン装置２とランプ３Ａとの間の情報（例えば、ボタン１５を使用している人Ｐによって入力される制御命令）を送信するために所定のプロトコル（例えば、ＺｉｇＢｅｅ）を使用することができる。
【００３５】
直接的に又は中央制御装置４を介してのランプ３Ａ、３Ｂへの制御信号の供給は、制御されなければならないランプ３Ａ、３Ｂが選択されたことを前提としている。
【００３６】
このために、図２の指向性受信器システム５の一実施例において、ランプ３Ａは、コントローラ１１から制御された信号送信器２０を有することができる。信号送信器２０は、例えば、図２に示されていない発光ダイオード（ＬＥＤ）ドライバによって駆動されることができる。信号送信器２０は、少なくともランプ３Ａの開口角（の一部分）内で実質的に全方向性放射パターンを有している。リモコン装置２は、信号送信器２０から指向性チャネル２４を通じて通信される信号を検出するための検出器（図２において図示略）を含む指向性信号受信器２２を有している。リモコン装置２は、全方向性チャネル２６を通じて通信される信号を検出するための検出器（図２の図示略）を含む全方向性信号受信器２５も含んでいる。チャネル２４及び２６を通じて通信される信号は、例えば、赤外線信号であり、ランプ３Ａを選択することを目的としている。
【００３７】
対照的に、図３の指向性送信器システム６において、リモコン装置２は、全方向性信号送信器２０を含んでおり、ランプ３Ａは、信号送信器２０から全方向性チャネル２６を通じて通信される信号を検出するための検出器（図３において図示略）を含む全方向性信号受信器２５を含んでいる。指向性送信器システム６におけるリモコン装置２は、指向性信号送信器２７を更に含んでいる。指向性信号送信器２７の放射パターンは、指向性信号送信器２７によって送信される信号を集束ビームにするのに十分高いオーダｎによるランバーティアンである。信号受信器２５内の検出器は、更に、指向性信号送信器２７から指向性チャネル２４を通じて通信される信号を検出する。再び、チャネル２４及び２６を通じて通信される信号は、例えば、赤外線信号であり、ランプ３Ａを選択することを目的とする。指向性送信器システム６において、ひとたびランプ３Ａが自身が選択されたことを検出すると、このことは、リモコン装置２への無線リンクＲＦを通じて通信される。
【００３８】
両システムにおいて、ランプ３Ａの選択は、典型的には、前記ランプにリモコン装置２を向けることによって実施され、この結果、指向性受信器システム５において、指向性信号受信器２２は、指向性チャネル２４を通じてのランプ３Ａから受け取られる信号の出力を決定し、全方向性信号受信器２５は、全方向性チャネル２６を通じてランプ３Ａから受け取られる信号の出力を決定する。指向性送信器システム６において、信号受信器２５は、指向性チャネル２４を通じて指向性信号送信器２７から受け取られる指向性信号の出力と、全方向性チャネル２６を通じて全方向性信号送信器２０によって送信される全方向性信号の出力とを決定する。
【００３９】
ひとたびランプ３Ａが選択されると、ランプ３Ａのネットワークアドレスは、無線リンクＲＦを通じてリモコン装置２に送信される。このような態様において、ランプ３Ａの選択の後、前記制御信号は、前記ネットワークアドレスを含んでおり、制御信号を無線リンクＲＦを通じてランプ３Ａに送信するためにリモコン装置２をランプ３Ａの方向に向ける必要性を軽減する。 
【００４０】
本開示は、リモコン装置２を使用しているランプ３Ａ及び／又は３Ｂを選択する精度を改善するための方法に関する。この見地は、特に、ランプ３Ａ及び３Ｂがリモコン装置２とランプ３Ａ、３Ｂとの間の距離と比較して近い距離にある状況において、重要である。
【００４１】
図４Ａ及び４Ｂは、それぞれ、指向性受信器システム及び指向性送信器システムに関する図を表しており、改善されたシステム及び方法を示している。図４Ａは、指向性受信器システム５の概略図である。示されているように、指向性受信器システムは、第１の信号送信器２０Ａを有する第１のランプ３Ａと第２の信号送信器２０Ｂを有する第２のランプ３Ｂとを含んでいる。動作中、第１の信号送信器２０Ａは、第１の信号を送信し、第２の信号送信器２０Ｂは、第２の信号を送信する。信号送信器２０は、少なくともランプ３の開口角（の一部分）内において、実質的に全方向性放射パターンを有しており、それぞれ、ランプ３Ａ及び３Ｂのためのパターン３１Ａ及び３１Ｂとして示されている。
【００４２】
信頼できる検出を可能にすると共に、異なるランプによって送信される信号間の干渉を回避する如何なる技術も、使用されることができる。例えば、周波数分割多重アクセス（ＦＤＭＡ）技術が使用されることができ、信号送信器２０Ａ及び２０Ｂは、２つの異なる変調周波数を使用する。時分割多重アクセス又は符号分割多重アクセス技術のような、多重アクセスのための他の何らかの技術も、同様に機能する。前記第１の信号は、第１のランプ３Ａの識別符号を含むことができ、前記第２の信号は、第２のランプ３Ｂの識別符号を含むことができる。前記識別符号は、好ましくは、前記第１及び第２の信号の間の干渉を最小化するために互いに対して（準）直交するように選択されることができる。
【００４３】
幾つかの場合において、信号送信器２０Ａ、２０Ｂを備えるランプ３Ａ、３Ｂを設けることは、非実用的であり得る。別々の信号送信器を使用する代わりに、このような場合において、発光要素１０Ａ、１０Ｂは、前記第１及び第２の信号を送信するために使用されることができる。 
【００４４】
図４Ａのシステムは、指向性信号受信器２２及び全方向性信号受信器２５を有するリモコン装置２も含んでいる。指向性信号受信器２２は、指向性チャネル２４（Ｐｔｅｓｔ１）を通じてランプ３Ａから受け取られる第１の信号の出力及び指向性２４（Ｐｔｅｓｔ２）を通じてランプ３Ｂから受け取られる第２の信号の出力を決定する。この全方向性信号受信器２５は、全方向性チャネル２６（Ｐｒｅｆ１）を通じてランプ３Ａから受け取られる第１の信号の出力と、全方向性チャネル２６（Ｐｒｅｆ２）を通じてランプ３Ｂから受け取られる第２の信号の出力とを決定する。
【００４５】
信号受信器２２及び２５は、実際の状況において、重複するように図２及び４Ａに示されており、信号受信器２２及び２５は、隣接する位置に取り付けられることができる。このことは、リモコン装置２とランプ３Ａ、３Ｂとの間の距離が、信号受信器２２及び２５間の距離よりも著しく大きい場合に、十分である近似値に至る。
【００４６】
リモコン装置２は、ランプ３Ａ及び３Ｂの各々に関して、前記試験出力と前記基準出力との間の瞬間的な比に基づく強度係数を計算するための処理機能を有するコントローラ１４（図２参照）を有する。本明細書において使用されているように、「試験出力」なる語は、指向性チャネル２４を通じて通信される信号の出力を称しており、「基準出力」なる語は、全方向性チャネル２６を通じて通信される信号の出力を称している。このような機能は、例えば、図２に示されるプロセッサ２８によって実施化されることができる。試験出力は、リモコン装置２とランプ３Ａ又は３Ｂとの間の角度距離及びユークリッドの距離の関数である。逆に、基準出力は、（信号受信器２５が全方向である角度に関して、即ちリモコン装置２又はランプ３Ａ又は３Ｂの開口角において）リモコン装置２とランプ３Ａとの間のユークリッド距離のみの関数である。結果として、前記瞬間的な比は、リモコン装置２とランプ３Ａとの間の角度（本願明細書においてはｕ１として示される）のみの関数である。従って、リモコン装置２の開口角内で、この態様において計算される前記強度係数は、距離、ランプシェード等による減衰から独立している。更に、図５に示されているように、強度係数Ｑは、ｕ＝０に最大値を有する、角度ｕの対称及び単調な関数であり、前記強度係数をランプ３Ａの選択に基づく良好な尺度にする。
【００４７】
プロセッサ２８は、Ｐｔｅｓｔ１及びＰｒｅｆ１間の瞬間的な比に基づく第１の強度係数と、Ｐｔｅｓｔ２及びＰｒｅｆ２間の瞬間的な比に基づく第２の強度係数とを計算する。従って、前記強度係数は、単に前記瞬間的な比自体であっても良い。代替的には、これは、当該割合の関数であっても良い。例えば、プロセッサ２８は、更に、期間にわたって、それぞれ、前記第１及び第２の瞬間的な比を積分することによって、前記第１の及び／又は第２の強度係数を計算することができる。動作中、前記期間は、例えば、人Ｐがコントロールボタンをリモコン装置２に対して押下する期間であり得る。人Ｐがコントロールボタンを押下している限り、送信器２０Ａ及び２０Ｂは、それぞれ、第１及び第２の信号を送信する。更に、人Ｐが前記コントロールボタンを押下している限り、指向性信号受信器２２及び全方向性信号受信器２５は、それぞれ、第１及び第２の信号の各々に関する、瞬間的なＰｔｅｓｔ及びＰｒｅｆを決定し、プロセッサ２８は、第１及び第２の強度係数を決定するために前記第１及び第２の番目の瞬間的な比を積分する。
【００４８】
コントローラ１４は、更に、前記第１の強度係数が第１の選択条件を満たす場合に第１のランプ３Ａを選択し、前記第２の強度係数が第２の選択条件を満たす場合に第２のランプ３Ｂを選択する選択機能を更に有している。このような機能は、例えば、図２に示されている選択器２９によって実施化されることができる。
【００４９】
一実施例において、前記第１の選択条件は、例えば、前記第１の強度係数が前記第２の強度係数より大きいことであり得て、前記第２の選択条件は、前記第２の強度係数が前記第１の強度係数より大きいことであり得る。上述の態様において計算される強度係数は、リモコン装置２とランプ３Ａ及び３Ｂの各々との間の角度を示しており、前記角度が小さいほど、前記強度係数は、大きい。従って、図４Ａに示されている例において、リモコン装置２とランプ３Ａとの間の角度ｕ１が、リモコン装置２とランプ３Ｂとの間の角度ｕ２より小さいので、選択器２９は、ランプ３Ａを選択する。この例において、選択器２９は、前記第２の強度係数が前記第２の選択条件を満たしていないので、ランプ３Ｂを選択しない。
【００５０】
前記第１及び第２の強度係数の比較に基づいた選択が、指向性信号受信器２２において受け取られる第１及び第２の信号の信号強度のような、これらの微分に基づく対応する選択を含み得ることに留意されたい。一例として、選択されたランプ３Ａ、３Ｂは、最も強い信号が指向性信号受信器２２において受け取られるランプであり得る。
【００５１】
他の実施例において、前記第１の選択条件は、前記第１の強度係数が第１のしきい値よりも大きいことであり得て、前記第２の選択条件は、前記第２の強度係数が第２のしきい値より大きいことであり得る。図４Ａに示されている例を継続すると、前記第１及び第２のしきい値が所定のものであることを考慮して、前記強度係数は、期間にわたって前記瞬間的な比を積分することによって決定され、
前記期間は、前記ユーザが前記リモコン装置２上のコントロールボタンの押下を開始するときに開始すると共に前記ユーザが前記コントロールボタンの押下を止めるときに終了する期間である。このような状況は、図６に示されている。ランプ３Ａは、ランプ３Ｂよりもリモコン装置２の指示方向から近い角度距離にある。従って、ランプ３Ａのための強度係数は、ランプ３Ｂのための強度係数よりも急速に増大する。ＳＬＣＴとして図６に示されている時刻において、前記第１の強度係数が、前記第１のしきい値より大きくなるので、ランプ３Ａが選択される。前記ユーザが前記コントロールボタンの押下を押すのを止めた直後に、プロセッサ２８は、前記強度係数の積分を停止する。この時、前記第２の強度係数は、依然として前記第２のしきい値未満であり、従って、ランプ３Ｂは選択されない。
【００５２】
しかしながら、前記ユーザが前記コントロールボタンを押下し続ける場合、ランプ３Ｂは、ランプ３Ａに対する時間遅延を伴って、最終的に選択されることができることに留意されたく、前記しきい値が当該システムの応答時間に影響することを示している。従って、前記しきい値は、待ち時間が適切であるように設定されなければならない。しかしながら、前記しきい値が小さ過ぎてはならないことに留意されたい。なぜならば、ユーザの指示おける小さいエラーが、すぐに誤った選択に繋がるからである。従って、最適なしきい値は、前記待ち時間と前記選択精度との間の許容可能なトレードオフを表さなければならない。
【００５３】
一実施例において、前記様々な目標装置のしきい値は、同じであり得る。しかしながら、目標装置の選択において優先順位を設定するために、異なるしきい値が、異なる装置に対して使用されても良い。例えば、装置のしきい値を全ての他のものよりも低く設定することは、この装置の容易にされた選択をもたらす。このことは、例えば、前記ユーザが、「読書灯」のような、制御のために通常選択する好適なランプを有する場合に便利であり得る。
【００５４】
更に、代替的な実施例において、ひとたび前記目標装置のうちの１つが選択されるならば、後続する目標装置の全ての選択は、使用不能にされることができる。このような機能は、例えば、如何なる他の目標装置も選択されないという選択条件における規定を含むことによって、実施化されることができる。
【００５５】
図４Ｂは、指向性送信器システム１の概略図である。前記システムは、信号受信器２５Ａを有する第１のランプ３Ａと信号受信器２５Ｂを有する第２のランプ３Ｂとを有している。リモコン装置２は、全方向性信号送信器２０と指向性信号送信器２７とを有している。
【００５６】
動作中、全方向性信号送信器２０Ａは、チャネル２６を通じて全方向性信号を送信し、指向性信号送信器２７は、チャネル２４を通じて指向性信号を送信する。如何なる角度からもランプ３Ａ及び３Ｂを制御することができることが望ましいので、信号受信器２５Ａ及び２５Ｂは、少なくともランプ３の開口角（の一部分）内で、実質的に全方向性の感度パターンを有する。これらの感度パターンは、ランプ３Ａ及び３Ｂに関するパターン３２Ａ及び３２Ｂとして示される。
【００５７】
信頼できる検出を可能すると共にランプ３Ａ、３Ｂに送信される指向性及び全方向性信号間の干渉を回避する如何なる技術も、使用されることができる。例えば、信号送信器２０及び２７が、２つの異なる変調周波数を使用する周波数分割複数アクセス（ＦＤＭＡ）技術が使用されることができるが、時分割多重アクセス又は符号分割多重アクセス技術のような、多重アクセスのための他の何らかの技術も機能する。この指向性信号は、指向性信号送信器２７の識別コードを含むことができ、前記全方向性信号は、全方向性信号送信器２０の識別コードを含むことができ、前記識別コードは、好ましくは、前記第１の及び第２の信号間の干渉を最小化するために互いに関して（準）直交するように選択される。
【００５８】
信号送信器２０及び２７が、重複している図３及び４Ｂに示されると共に、実際的な状況において、信号送信器２０及び２７は隣接する位置において取り付けられることができる。このことは、リモコン装置２とランプ３Ａ、３Ｂとの間の距離が送信器２０及び２７間の距離よりも著しく大きい場合に、十分である近似値に至る。
【００５９】
ランプ３Ａ、３Ｂの各々において、信号受信器２５は、指向性チャネル２４を通じて指向性信号送信器２７から受け取られる指向性信号の出力、ランプ３ＡにおけるＰｔｅｓｔ１及びランプ３ＢにおけるＰｔｅｓｔ２を決定する。この信号受信器２５は、更に、全方向性チャネル２６を通じて全方向性信号送信器２０から受け取られる全方向性信号の出力、ランプ３ＡにおけるＰｒｅｆ１及びランプ３ＢにおけるＰｒｅｆ２を決定する。
【００６０】
指向性受信器システム５と同様に、指向性送信器システム６は、ランプ３Ａ及び３Ｂの各々に関して、前記試験出力と前記基準出力との間の瞬間的な比（の一部）に基づく強度係数を決定し、オプションとして、上述の態様における期間を通じて瞬間的な比を積分する処理手段も含んでいる。更に、指向性送信器システム６は、上述の態様のランプ３Ａ、３Ｂの１つ以上を選択する選択手段も含んでいる。一実施例において、前記処理手段は、ランプ３Ａ、３Ｂの各々に上述されたプロセッサ２８を含むことによって実施化されることができ、前記選択手段は、ランプ３Ａ、３Ｂの各々において上述された選択器２９を含むことによって実施化されることができる。このような実施例において、前記他のランプとは独立に、ランプ３Ａ、３Ｂの各々は、前記強度係数が或るしきい値を超える場合、自身を選択することもできる。
【００６１】
代替的には、前記処理手段及び／又は前記選択手段は、リモコン装置２内の選択器２９及び／又はプロセッサ２８として実施化されることができる。このような実施例において、ランプ３Ａ及び３Ｂの各々は、リモコン装置２とランプ３Ａ又は３Ｂとの間の角度ｕ１、ｕ２を表すデータ（例えば、Ｐｔｅｓｔ、Ｐｒｅｆ及び強度係数の何らかの組み合わせも）をリモコン装置２に送信する送信器（図４Ｂにおいて図示略）を更に含むことができる。このデータは、更に、当該選択の判断をすると共にこの結果をモジュール１７（図３参照）を介してリモコン装置２に報告する外部装置（例えば、他のランプ３Ｃ（図４Ｂ参照））によって受け取られることもできる点に留意されたい。ランプ３Ｃは、これ自身、当該選択プロセスの影響を受けるものであっても良く又は受けないものであっても良い。
【００６２】
指向性受信器システム５と同様に、ひとたびランプ３Ａ又は３Ｂのうちの一方が選択されると、指向性送信器システム６において、他のランプの選択は、使用不能であり得る。
【００６３】
上述のシステム１、５、６における信号送信器２０、２０Ａ、２０Ｂ、２７、２７Ａ、２７Ｂは、光学信号（例えば、赤外線信号）を使用することができる。しかしながら、無線周波信号（例えば、６０ＧＨｚ帯域）又は２０ｋＨｚ以上の周波数による超音波信号も、使用されることができる（勿論、適切な送信器及び受信器を使用して）。無線周波信号は、一定の材料（例えば、ランプのシェード）を貫通するという有利な点を有しており、場合によっては、これにより前記信号の検出を改善している。超音波は、リモコン装置２とランプ３Ａ、３Ｂ各々との間の角度の指標として信号強度（例えば、位相）以外の方法の使用を可能にすることができる。同じ信号が、選択された（複数の）装置への命令の送信に関してランプ３Ａ、３Ｂの選択のために使用されることができる（例えば、赤外線の信号チャネル又は無線周波信号チャネル）ことが理解されるべきである。従って、図２及び３に示されているモジュール１７及び１８は、赤外線又は超音波信号の通信のためのモジュールを有することができる。
【００６４】
赤外線信号が使用される場合、これらの信号は、リモコン装置２とランプ３Ａ、３Ｂとの間でセキュリティキーを交換するように使用されることもできる。これらの信号は、当該システムが動作する部屋からほとんど出ることがなく、従って、妨害するのは困難である。
【００６５】
図２及び４Ａに示されている指向性受信器システム５の延長部は、リモコン装置２内にＮ個の受信器を含んでおり、Ｎは２よりも大きい。同様に、図３及び４Ｂにおいて示される指向性送信器システム６の延長部は、Ｎ個の送信器をリモコン装置２内に含んでいる。このＮ個の受信器（又は送信器）は、増大している開口角を有する。Ｎ個の受信器（又は送信器）に関して、（Ｎ―１）個の独立な強度係数は、瞬間的な比Ｐｏｗｅｒ（ｎ）／Ｐｏｗｅｒ（ｎ＋１）（ここでｎ＝１、２、・・・Ｎ−１）として規定されることができる。これらの瞬間的な比は、オプションとして、期間にわたって積分されることができ、１つ以上の目標装置を選択する決定は、上述の方法と同様に（Ｎ―１）個の強度係数に基づくものであり得る。前記目標装置の選択に基づく更なる強度係数の決定の１つの有利な点は、指示の不正確さ及び反射のより良好な取扱いが達成され、これにより間違った目標装置を選択するリスクを低下させていることにある。
【００６６】
指向性受信器システム５及び指向性送信器システム６に関するリモコン装置２は、このようなシステムにおいて有利に利用されることができる様々な他の機能を有することもできる。図７は、このようなリモコン装置２のための概要を提供している。
【００６７】
遅延モジュール１００は、リモコン装置２において実施化されることができる。上述の選択の方法は、リモコン装置２が目標とされるランプへの途中にあるランプを超えてスイープされる場合、ランプのスプリアス選択を回避するために、所定の時間間隔だけランプ３Ａ、３Ｂの選択を遅延させることによって改善されることができる。即ち、ランプは、最小量の時間にわたって最大の強度係数（即ちリモコン２と前記ランプとの間の最小角度）を有する場合に、選択されるのみである。適切な時間間隔は、例えば、３００―１５００ｍｓの範囲にあることができる。
【００６８】
運動センサ１０１及びスタートモジュール１０２は、エネルギを保存するためにリモコン装置２において実施化されることができる。人Ｐがリモコン装置２を手に取った場合、指向性受信器システム５において、リモコン装置２は、全てのランプ３に信号送信器２０をオンに切り替える命令を放送することができる。指向性送信器システム６において、リモコン装置２は、自身の全方向性信号送信器２０（場合によっては、指向性信号送信器２７と同様に）を開始させ、信号受信器を起動させるための命令をランプに放送する。ひとたびランプ３Ａが検出されると、（複数の）前記信号送信器及び前記受信器は、再びオフに切り替えられるであるように命令されることができる。
【００６９】
図２及び３に示されているように、リモコン装置２は、コントロールボタン１５を有する。しばしば、人Ｐがランプ３Ａ、３Ｂを指示する場合、リモコン装置２は、前記ボタンの抵抗／触覚フィードバックにより少し移動し、ランプ３Ａ、３Ｂの望ましくない選択をもらすことができる。モジュール１０３は、命令が、ボタンの押下の前の所定の時間間隔（例えば１００―３００ｍｓ）に選択されたものであるランプ３Ａ、３Ｂに送信されるのを確実にする。
【００７０】
ネットワークトラフィックを低減するために、又はＳ／Ｎ比を改善するために、選択処理において、全てのランプのうちの部分集合のみを含むのが有利であり得る。指向性受信器システム５において、リモコン装置２は、幾つかのランプに、送信器２０の信号強度の第１の分析に基づいて信号送信器２０のスイッチをオフにするように要求することができる。同様に、指向性送信器システム６において、リモコン装置２は、無線リンクＲＦ信号強度を使用しているランプ３Ａ、３Ｂまでの距離を推定するための推定器１０５を有することができ、リモコン装置２からの所定の距離内にある角度を示すデータを報告するようにランプ３Ａ、３Ｂのみに要求する。
【００７１】
更に、指向性受信器システム５の場合、リモコン装置２は、第１及び第２のランプ３Ａ、３Ｂが、それぞれ、リモコン装置２から所定の距離内にある場合にのみ、第１及び第２のランプ３Ａ、３Ｂからの識別コードを要求する手段１０６を有することができる。このことは、識別コードの長さの短縮及びクロス干渉の低減を可能にする。このことは、リモコン装置２からランプ３Ａ、３Ｂまでの低出力の「覚醒メッセージ」によって得られることができる。
【００７２】
指向性受信器システム５に関して、Ｓ／Ｎ比を改善するために、選択プロセスの間、前記ネットワークアドレスを、使用のための短いローカルアドレスに変換することが、有利である。この短いローカルアドレスは、システムの取付けにおいて、初期化ステップで割り当てられる、又は工場において予め設定されることができる。このために、前記リモコン装置は、第１及び第２のランプ３Ａ、３Ｂのネットワークアドレスを受け取ると共に、前記第１及び第２の信号における使用のためにこれらのランプに（前記ネットワークアドレスより短い）ローカルアドレスを割り当てるアドレス割当器１０７を有することができる。前記ローカルアドレスを、命令を前記第１及び第２の目標装置に送信するための前記ネットワークアドレスに変換する変換器１０８は、前記リモコン装置において実施化されることもできる。動作中、リモコン装置２は、ネットワークアドレスのための無線リンクＲＦを通じてランプ３Ａ、３Ｂに問い合わせる。割当器１０７は、次いで、第１及び第２の信号送信器２０Ａ、２０Ｂによって使用される短いアドレスを割り当てる。リモコン装置２の変換器は、例えば、ルックアップテーブルを使用して、ＲＦアドレスと短いアドレスとの間の変換を行なう。
【００７３】
図８Ａ及び８Ｂは、本発明の実施例による第１のランプ３Ａの概略図である。第１のランプ３Ａは、発光要素１０Ａを有しており、指向性受信器システムにおいてか又は指向性送信器システムにおいてかの何れかにおいて使用されることができる。
【００７４】
上述の方法を使用してどのランプが選択されたかが、人Ｐに知らされることが、有利であり得る。このためには、前記ランプは、視覚インジケータ１１０（図８Ａ）又は複数の視覚インジケータ１１１（図８Ｂ）を有することができる。どの程度までリモコン装置２が特定のランプ３Ａ、３Ｂに向けられているかについて、（例えば、異なる色を使用して）複数の視覚インジケータが、使用されることができる。この機能は、例えば、前記視覚インジケータの光のフリッカ周波数を変化させることによって、単一の視覚インジケータによって得られることもできる。当該視覚インジケータは、ＬＥＤのものであることができる。当該視覚インジケータは、上述の選択プロセスを終了したリモコン２から無線リンクＲＦを通じての命令に応答して、オンにされる。
【００７５】
上述の選択方法は、ランプ３Ａ又は他の装置を選択するために使用されることができる。複数の装置は、この後、命令が送信されることができる一組の選択された装置を得るように選択されることができる。
【００７６】
当該選択方法は、図９において模式的に示されているように、ペアリング（pairing）の用途のために使用されることもできる。
【００７７】
しばしば、人Ｐは、複数の装置のペアリングを必要とする。例えば、多くのオフィスにおいて、壁スイッチ１２０は、ランプ３Ａ―３Ｃに直接的に接続されていないが、ランプ及びスイッチの両方は、コントロールボックス１２１の周辺機器である。コントロールボックス１２１は、特定の壁スイッチが動作される場合に、当該部屋内のランプ３がオン／オフになるように、プログラミングされなければならない。コントロールボックス１２１及びこれに対する配線のプログラミングは、非常にエラーを起こしやすい。壁スイッチ１２０（及び運動検出器１２２等）のランプへの論理的な割り当ては、しばしば、コミッショニングと称される。上述の選択方法は、この処理を容易にすることができる。人Ｐは、前記システムを、リモコン装置２を使用しているコミッショニングモードに入れることができて、次いで、これらを指示することによって複数の装置３、１２０を選択することができる。次いで、当該システムは、全方向性チャネルＲＦを通じて実際のペアリングを実施する。配線が誤りのものである場合でさえも、このことは、依然として正しいスイッチ１２０を正しいランプ３に割り当てる。
【００７８】
本発明の１つの有利な点は、速い応答時間及び良好な選択の精度を得ることができることにある。他の有利な点は、当該場所（point）及び制御の用途のための簡単な実施化及び良好な容易さを含んでいる。
【００７９】
当業者であれば、図２、３、４Ａ及び４Ｂに記載されているアーキテクチャは、本発明の範囲を決して制限するものではなく、本願明細書において教示されている技術は、本発明の要旨を逸脱することなく、如何なる適切に構成されたワイヤレスリモコン制御された装置選択システムにおいても実施化されることができることを理解するであろう。
【００８０】
本発明の一実施例は、コンピュータシステムとの使用のためのプログラム製品として実施化されることができる。前記プログラム製品のプログラムは、（本願明細書において記載されている方法を含む）上述の実施例の機能を規定し、様々なコンピュータ読み取り可能な記憶装置媒体上に含まれることができる。例示的なコンピュータ読み取り可能な記憶装置媒体は、（ｉ）情報が永久に記憶される書き込み不可能な記憶装置媒体（例えば、ＣＤ―ＲＯＭドライブによって読み取り可能なＣＤ―ＲＯＭディスク、フラッシュメモリ、ＲＯＭチップ又は何らかの種類のソリッドステート不揮発性半導体メモリのような、コンピュータ内のリードオンリーメモリデバイス）と、（ｉｉ）変更可能な情報が記憶されている書き込み可能な記憶装置媒体（例えば、ディスケットドライブ内のフロッピーディスク（登録商標）若しくはハードディスクドライブ、又は何らかの種類のソリッドステートランダムアクセス半導体メモリ）とを含むが、これらに限定されるものではない。
【００８１】
上述したものは、本発明の実施例に向けられているものであるが、本発明の他の別の実施例も、本発明の基本的な範囲を逸脱しない限り、案出されることができる。例えば、本発明の見地は、ハードウェア若しくはソフトウェアにおいて又はハードウェア及びソフトウェアの組み合わせにおいて、実施されることができる。従って、本発明の範囲は、添付の請求項によって決定される。
【図１】
2012523733.tif 000003
【図２】
2012523733.tif 000004
【図３】
2012523733.tif 000005
【図４Ａ】
2012523733.tif 000006
【図４Ｂ】
2012523733.tif 000007
【図５】
2012523733.tif 000008
【図６】
2012523733.tif 000009
【図７】
2012523733.tif 000010
【図８Ａ】
2012523733.tif 000011
【図８Ｂ】
2012523733.tif 000012
【図９】
2012523733.tif 000013
【国際調査報告】
2012523733.tif 000014
2012523733.tif 000015